(57)【要約】【課題】  コンタクトガラスに密着した原稿位置を確保することができる画像読取装置を提供する。【解決手段】  コンタクトガラス１０６上を搬送する原稿をイメージセンサ１１２により読み取る画像読取装置において、原稿の搬送方向上流側のコンタクトガラス１０６ａと原稿の搬送方向下流側のコンタクトガラス１０６ｂとの間に多数の穴を有する中央ガイド板１０８を設け、かつ中央ガイド板１０８の下方に、原稿をコンタクトガラス１０６側に吸引するファンモータ１０７を設けた。【選択図】        図３
2007208569.tif 000002
【特許請求の範囲】
【請求項１】
コンタクトガラス上を搬送される原稿を読み取るイメージセンサを備えた画像読取装置において、原稿の搬送方向上流側のコンタクトガラス上面と搬送方向下流側のコンタクトガラス上面との間のギャップ内に複数の穴を有する中央ガイド板を設け、かつ中央ガイド板の下方に、原稿をコンタクトガラス上面に吸引する吸引手段を設けたことを特徴とする画像読取装置。
【請求項２】
請求項１記載の画像読取装置において、前記吸引手段は、ファンモータであることを特徴とする画像読取装置。
【請求項３】
請求項１または２記載の画像読取装置において、前記中央ガイド板は、前記コンタクトガラスより窪んだ状態で設けられていることを特徴とする画像読取装置。
【請求項４】
請求項２または３記載の画像読取装置において、ファンモータは原稿の幅方向に複数設けられていることを特徴とする画像読取装置。
【請求項５】
請求項２乃至４の何れか一項に記載の画像読取装置において、原稿の幅方向サイズ、種類、通過状態に応じてファンモータのオン、オフ、ファンモータの風量を制御する制御部を備えたことを特徴とする画像読取装置。
【請求項６】
請求項１乃至５の何れか一項に記載の画像読取装置と、画像形成装置本体と、を備えたことを特徴とする画像形成装置。
【発明の詳細な説明】
【技術分野】
【０００１】
本発明は、イメージセンサユニットを有する原稿移動型の画像読取装置に関する。
【背景技術】
【０００２】
原稿搬送型の画像読取装置は、コンタクトガラス上で搬送される原稿をイメージセンサユニットで読み取るようになっている。ここで、イメージセンサユニットは一般的に焦点深度が浅いため、原稿のコンタクトガラスからの浮き状態により解像力が異なる現象が発生する。
さらに、イメージセンサユニットを複数個使用して読取幅を広げている構成の場合、原稿の浮き状態により個々のイメージセンサユニットの解像力が異なってくるためイメージセンサユニット間の画データの繋ぎ補正では補正しきれない場合が発生してしまう。
【発明の開示】
【発明が解決しようとする課題】
【０００３】
イメージセンサユニットの焦点深度を深くするためには、イメージセンサユニットの構成部品である等倍結像レンズアレイを変更するのが一般的であるが、イメージセンサユニットのコストアップになってしまうという問題がある。
本発明は、コンタクトガラスに密着した原稿位置を確保することができる画像読取装置を提供することを目的とする。
【課題を解決するための手段】
【０００４】
上記目的を達成するために、請求項１記載の発明に係る画像読取装置は、コンタクトガラス上を搬送される原稿を読み取るイメージセンサを備えた画像読取装置において、原稿の搬送方向上流側のコンタクトガラス上面と搬送方向下流側のコンタクトガラス上面との間のギャップ内に複数の穴を有する中央ガイド板を設け、かつ中央ガイド板の下方に、原稿をコンタクトガラス上面に吸引する吸引手段を設けたことを特徴とする。
請求項２の発明は、請求項１記載の画像読取装置において、前記吸引手段は、ファンモータであることを特徴とする。
【０００５】
請求項３の発明は、請求項１または２記載の画像読取装置において、前記中央ガイド板は、前記コンタクトガラスより窪んだ状態で設けられていることを特徴とする。
請求項４の発明は、請求項２または３記載の画像読取装置において、ファンモータは原稿の幅方向に複数設けられていることを特徴とする。
【０００６】
請求項５の発明は、請求項２乃至４の何れか一項に記載の画像読取装置において、原稿の幅方向サイズ、種類、通過状態に応じてファンモータのオン、オフ、ファンモータの風量を制御する制御部を備えたことを特徴とする。
請求項６の発明に係る画像形成装置は、請求項１乃至５の何れか一項に記載の画像読取装置と、画像形成装置本体と、を備えたことを特徴とする。
【発明の効果】
【０００７】
本発明は、コンタクトガラス上を搬送される原稿をイメージセンサにより読み取る画像読取装置において、原稿の搬送方向上流側のコンタクトガラスと原稿の搬送方向下流側のコンタクトガラスとの間に多数の穴を有する中央ガイド板を設け、かつ中央ガイド板の下方に、原稿をコンタクトガラス側に吸引するファンモータ（吸引手段）を設けたので、コンタクトガラスに密着した原稿位置を確保することができる。
【発明を実施するための最良の形態】
【０００８】
以下、本発明の実施の形態について図面を用いて説明する。図１は本発明の実施形態に係る画像読取装置の上面図、図２は図１におけるＡ方向視図である。図１及び２において、原稿１０１は、図示しない原稿テーブル上に画像面を下向きに載置され、原稿挿入方向に挿入されるものである。
第１原稿センサ１０２は、挿入された原稿１０１が第１搬送ローラ１０３（第１搬送駆動ローラ１０３ａ、第１搬送従動ローラ１０３ｂからなる）の搬送方向上流の所定位置に達したことを検知するものである。第１原稿センサ１０２と同じ位置には、原稿幅方向に原稿幅サイズを検知する原稿幅センサ１２０(図３に示す)が配置され、各原稿幅センサ１２０からの情報に基づいて原稿サイズも同時に認識される。
第２原稿センサ１０４は、挿入された原稿１０１が第１搬送ローラ１０３の搬送方向下流の所定位置に達したことを検知するものである。圧板１０５は、第１搬送ローラ１０３によって搬送されてきた原稿１０１をコンタクトガラス１０６(１０６ａ、１０６ｂ)上面の読取位置へ案内すると共に、画像読取の白色基準として使用されるものである。つまり、圧板１０５はコンタクトガラス上面との間に所定のギャップを隔てて配置されている。
【０００９】
コンタクトガラス１０６ａ、１０６は、所定の間隔を隔てて搬送方向上流側と下流側に分離配置されている。この両コンタクトガラス間のギャップ内には多数のパンチ穴を有した中央ガイド板１０８が配置されており、その下方には吸引手段としてのファン（ファンモータ）１０７が配置されている。
原稿１０１(例としてＡ４縦幅(２１０ｍｍ))が原稿幅センサ１２０を通過すると、原稿サイズが例えばＡ４縦幅(２１０ｍｍ)と認識される。原稿サイズがＡ４縦幅(２１０ｍｍ)と認識された時点で、原稿１０１の幅方向に複数配置されたファンモータ１０７(１０７ａ、１０７ｂ、１０７ｃ)のうち、中央のファンモータ１０７ｂのみ駆動を開始し、必要のないファンモータ１０７ａ、１０７ｃは駆動せず停止状態のままである。
【００１０】
挿入された原稿１０１の先端が第２原稿センサ１０４に到達するとファンモータ１０７ｂの風量が大きくなり、ユニット内に搬送された原稿１０１は、ファンモータ１０７ｂにより下方へ吸引されてユニット外に排出される風量分、中央ガイド板１０８に設けられた開放穴により中央ガイド板１０８の上面に吸引される。中央ガイド板１０８は、原稿１０１の搬送方向上流側のコンタクトガラス１０６ａと原稿１０１の搬送方向下流側のコンタクトガラス１０６ｂとの間のギャップ内に設けられている。中央ガイド板１０８は、例えばコンタクトガラスよりも下方へ窪んだ状態で設けることにより、原稿を吸引する際に図２に示したように原稿中央部を吸引して原稿の読み取り面をコンタクトガラス上面に密着させることができる。
【００１１】
原稿１０１の先端が原稿出口センサ１０９へ到達するとファンモータ１０７ｂの風量を小さくする。すると原稿１０１は中央ガイド板１０８の上面から離れ、第２搬送ローラ１１０（第２搬送駆動ローラ１１０ａ、第２搬送従動ローラ１１０ｂからなる）によりスムーズに下流側に搬送される。再び原稿１０１の後端が第２原稿センサ１０４を脱出するとファンモータ１０７ｂの風量が大きくなり、原稿１０１の後端が原稿出口センサ１０９を脱出するとファンモータ１０７ｂを停止する。
【００１２】
ケース１１１には、イメージセンサ１１２(１１２ａ、１１２ｂ、１１２ｃ)などが収容されており、これらの部品は、原稿１０１を搬送しながらコンタクトガラス１０６下方から読み取るための読取部を構成している。第１搬送ローラ１０３、第２搬送ローラ110は、駆動モータ１１３によって駆動される。
中央ガイド板１０８はコンタクトガラス１０６より低い位置（本発明の実施形態では０．５ｍｍ〜１．０ｍｍが適切であるが構成によって異なる）に配置されている。中央ガイド板１０８に設けられる穴の大きさ、配置の一例として直径３ｍｍの穴を縦横等間隔で設ける。
【００１３】
図３は本発明の実施形態に係る画像読取装置のブロック図である。制御部２０１は、ＣＰＵ、メモリ（ＲＯＭ／ＲＡＭ、不揮発性メモリなど）、入出力部（Ｉ／Ｏ）、インタフェース部などからなり、操作表示部２１１からのモード設定信号や第１原稿センサ１０２、原稿幅センサ１２０、第２原稿センサ１０４、原稿出口センサ１０９などからの検出信号を入力し、その情報を基にしてＯＮ／ＯＦＦ制御のための切り替え信号やクロック信号を出力する。
【００１４】
こうして、制御部２０１は、同期信号発生回路(タイミング信号発生回路)２０２、遅延回路２０３、画像処理回路２０４の制御、モータ駆動回路(モータドライバ)２０５を介しての駆動モータ１１３の起動制御、ファンモータ１０７の起動制御、イメージセンサ１１２の制御、フィードクラッチ（ＣＬ）２０６及び排出クラッチ（ＣＬ）２０７、アナログ処理・Ａ／Ｄ変換回路２０８〜２１０などの切り替え制御を実行する。このような制御により、本実施形態の画像読取装置は、予め設定された速度で原稿の搬送動作、読取動作を含む各動作を行うこととなる。 
【００１５】
図４においてファンモータ１０７の風量切り替え制御を、普通紙Ａ４縦サイズを一例に用いて説明する。ファンモータ１０７の風量切り替えはファンモータ１０７の駆動Ｄｕｔｙを変更することにより実施する。
挿入された原稿１０１の先端が原稿幅センサ１２０を通過するとファンモータ１０７は駆動Ｄｕｔｙ１０％で回転する（風量少）。原稿１０１の先端が第２原稿センサ１０４に到達するとファンモータ１０７の風量は駆動Ｄｕｔｙ５０％（風量大）で回転し、原稿１０１の先端が原稿出口センサ１０９へ到達するとファンモータ１０７は駆動Ｄｕｔｙ３０％（風量中）で回転する。
【００１６】
再び原稿１０１の後端が第２原稿センサ１０４を脱出するとファンモータ１０７の風量は駆動Ｄｕｔｙ５０％(風量大)で回転し、原稿１０１の後端が原稿出口センサ１０９へ到達するとファンモータ１０７は停止する。
予め原稿１０１の種類(薄紙、普通紙、厚紙等)に適した風量設定（風量少〜風量大）を原稿１０１の種類毎に固定値として有しており、操作部２１１より原稿の種類を選択することにより最適な風量設定（風量少〜風量大）で原稿が搬送される。また、前記に無い様な特殊原稿を使用する場合に操作部２１１より任意に風量設定（風量少〜風量大）を可変できる。
【００１７】
本発明の画像読取装置は、複写機、プリンタ、ファクシミリ装置、印刷装置等の画像形成装置に対して組合せ使用することができる。即ち、例えば電子写真式画像形成装置本体に対して本発明の画像読取装置を組み付けることによって画像形成装置を構築することができる。
【図面の簡単な説明】
【００１８】
【図１】本発明の実施形態に係る画像読取装置の上面図である。
【図２】図１におけるＡ方向視図である。
【図３】本発明の実施形態に係る画像読取装置のブロック図である。
【図４】ファンモータの回転数変化を示す図である。
【符号の説明】
【００１９】
１０６(１０６ａ、１０６ｂ)  コンタクトガラス、１０７  ファンモータ、１０８  中央ガイド板、１１２  イメージセンサ
【図１】
2007208569.tif 000003
【図２】
2007208569.tif 000004
【図３】
2007208569.tif 000005
【図４】
2007208569.tif 000006